(57)【要約】【課題】保管場所の自由度を向上させることのできる浄水装置を得る。【解決手段】原水を貯留する原水室Ｓ１と、原水を浄水部９０にて浄化することで得られた浄水を貯留する浄水室Ｓ２と、が形成された浄水器本体１０を備え、当該浄水器本体１０の底壁２４を下にした状態で載置可能な浄水装置１であって、浄水器本体１０の底壁２４以外の部位に載置部２２を設け、当該載置部２２を下にした状態で浄水装置１を載置できるようにした。【選択図】図４
2011083680.tif 000002
【特許請求の範囲】
【請求項１】
原水を貯留する原水室と、原水を浄水部にて浄化することで得られた浄水を貯留する浄水室と、が形成された浄水器本体を備え、当該浄水器本体の底壁を下にした状態で載置可能な浄水装置であって、
前記浄水器本体の底壁以外の部位に載置部を設け、当該載置部を下にした状態で載置できるようにしたことを特徴とする浄水装置。
【請求項２】
前記載置部の載置面を平面状に形成したことを特徴とする請求項１に記載の浄水装置。
【請求項３】
前記浄水器本体には、原水を前記原水室に注入する給水口および前記浄水を外部に注出する注水口が形成されるとともに、前記浄水装置は、前記給水口および注水口を塞ぐ蓋を備えていることを特徴とする請求項１または請求項２に記載の浄水装置。
【請求項４】
前記浄水器本体は、前記原水室と前記浄水室とを区画する内壁を備え、
前記蓋には、前記注水口と前記浄水室との連通を解除可能に封止する第１の封止部が設けられるとともに、前記内壁と前記蓋との間には、当該内壁と蓋との間の隙間を解除可能に封止する第２の封止部が設けられており、
前記蓋が前記給水口および注水口を塞いだ時には、前記第１の封止部により前記注水口と前記浄水室との連通が封止されるとともに、前記第２の封止部により前記内壁と前記蓋との間の隙間が封止されていることを特徴とする請求項３に記載の浄水装置。
【請求項５】
前記蓋が前記浄水器本体に螺合されるとともに、当該蓋を開方向に回動させた際に、まず前記第１の封止部による封止が解除され、次に前記第２の封止部による封止が解除されるようにしたことを特徴とする請求項４に記載の浄水装置。
【請求項６】
前記浄水器本体の前記原水室と前記浄水室とを区画する内壁に、前記原水室と前記浄水室とを連通する第１の連通穴が設けられていることを特徴とする請求項１〜５のうちいずれか１項に記載の浄水装置。
【請求項７】
前記第１の連通穴は、前記原水室に許容原水貯留容量の上限まで原水を貯留した状態で前記載置部を下にして前記浄水装置を載置した際に、原水室に形成される水面よりも上方に位置するように設けられていることを特徴とする請求項６に記載の浄水装置。
【請求項８】
前記蓋に、前記原水室と外部とを連通する第２の連通穴が設けられていることを特徴とする請求項１〜７のうちいずれか１項に記載の浄水装置。
【請求項９】
前記第２の連通穴は、前記原水室に許容原水貯留容量の上限まで原水を貯留した状態で前記載置部を下にして前記浄水装置を載置した際に、原水室に形成される水面よりも上方に位置するように設けられていることを特徴とする請求項８に記載の浄水装置。
【請求項１０】
前記浄水部は、前記浄水室に浄水を吐出する吐出口を有し、
前記吐出口が、前記原水室の許容原水貯留容量の上限と同量の浄水を前記浄水室に貯留した状態で前記載置部を下にして前記浄水装置を載置した際に、浄水室に形成される水面よりも上方に配置されていることを特徴とする請求項１〜９のうちいずれか１項に記載の浄水装置。
【請求項１１】
前記浄水器本体は、前記浄水室が形成される外容器と、前記原水室が形成され、前記外容器に取り外し可能に取り付けられる内容器と、を備えていることを特徴とする請求項１〜１０のうちいずれか１項に記載の浄水装置。
【請求項１２】
前記外容器および内容器には、互いに係合して外容器に対する内容器の相対回動を規制する係合部がそれぞれ設けられていることを特徴とする請求項１１に記載の浄水装置。
【請求項１３】
前記浄水器本体には、前記第１の封止部により外部との連通が封止されるとともに、当該第１の封止部による前記注水口と前記浄水室の封止が解除された状態で、前記浄水室と外部とを連通する第３の連通穴が形成されていることを特徴とする請求項４に記載の浄水装置。
【請求項１４】
前記蓋には、前記給水口および注水口を塞いだ際に平面視で前記浄水器本体の輪郭内に収まるとともに、当該蓋を開方向に回動させた際に平面視で前記輪郭からはみ出す延出部が形成されていることを特徴とする請求項５に記載の浄水装置。
【発明の詳細な説明】
【技術分野】
【０００１】
本発明は、浄水装置に関する。
【背景技術】
【０００２】
従来、浄水装置として、上側に位置する原水貯留部と、下側に位置する浄水貯留部と、原水貯留部と浄水貯留部との間に介在する浄水カートリッジと、を備えた、いわゆるポット型の浄水装置が知られている（例えば、特許文献１参照）。
【０００３】
この特許文献１に記載の浄水装置では、原水貯留部側に貯留した原水が自重により浄水カートリッジを通過することで浄化され、原水を浄水カートリッジにて浄化することで得られた浄水が浄水貯留部に流下して当該浄水貯留部に貯留される。
【０００４】
そして、このポット型の浄水装置は、浄水貯留部に浄水を貯留した状態で冷蔵庫等に保管できるようになっている。
【先行技術文献】
【特許文献】
【０００５】
【特許文献１】特開２００４−２３０３３５号公報
【発明の概要】
【発明が解決しようとする課題】
【０００６】
しかしながら、かかる従来の浄水装置は、容器の底壁を下にした状態で冷蔵庫のサイドポケットや野菜収納室等に収納する構造をしているため、冷蔵庫の種類によっては収納できない可能性がある。
【０００７】
そこで、本発明は、保管場所の自由度を向上させることのできる浄水装置を得ることを目的とする。
【課題を解決するための手段】
【０００８】
請求項１の発明にあっては、原水を貯留する原水室と、原水を浄水部にて浄化することで得られた浄水を貯留する浄水室と、が形成された浄水器本体を備え、当該浄水器本体の底壁を下にした状態で載置可能な浄水装置であって、前記浄水器本体の底壁以外の部位に載置部を設け、当該載置部を下にした状態で載置できるようにしたことを特徴とする。
【０００９】
請求項２の発明にあっては、請求項１に記載の浄水装置において、前記載置部の載置面を平面状に形成したことを特徴とする。
【００１０】
請求項３の発明にあっては、請求項１または請求項２に記載の浄水装置において、前記浄水器本体には、原水を前記原水室に注入する給水口および前記浄水を外部に注出する注水口が形成されるとともに、前記浄水装置は、前記給水口および注水口を塞ぐ蓋を備えていることを特徴とする。
【００１１】
請求項４の発明にあっては、請求項３に記載の浄水装置において、前記浄水器本体は、前記原水室と前記浄水室とを区画する内壁を備え、前記蓋には、前記注水口と前記浄水室との連通を解除可能に封止する第１の封止部が設けられるとともに、前記内壁と前記蓋との間には、当該内壁と蓋との間の隙間を解除可能に封止する第２の封止部が設けられており、前記蓋が前記給水口および注水口を塞いだ時には、前記第１の封止部により前記注水口と前記浄水室との連通が封止されるとともに、前記第２の封止部により前記内壁と前記蓋との間の隙間が封止されていることを特徴とする。
【００１２】
請求項５の発明にあっては、請求項４に記載の浄水装置において、前記蓋が前記浄水器本体に螺合されるとともに、当該蓋を開方向に回動させた際に、まず前記第１の封止部による封止が解除され、次に前記第２の封止部による封止が解除されるようにしたことを特徴とする。
【００１３】
請求項６の発明にあっては、請求項１〜５のうちいずれか１項に記載の浄水装置において、前記浄水器本体の前記原水室と前記浄水室とを区画する内壁に、前記原水室と前記浄水室とを連通する第１の連通穴が設けられていることを特徴とする。
【００１４】
請求項７の発明にあっては、請求項６に記載の浄水装置において、前記第１の連通穴は、前記原水室に許容原水貯留容量の上限まで原水を貯留した状態で前記載置部を下にして前記浄水装置を載置した際に、原水室に形成される水面よりも上方に位置するように設けられていることを特徴とする。
【００１５】
請求項８の発明にあっては、請求項１〜７のうちいずれか１項に記載の浄水装置において、前記蓋に、前記原水室と外部とを連通する第２の連通穴が設けられていることを特徴とする。
【００１６】
請求項９の発明にあっては、請求項８に記載の浄水装置において、前記第２の連通穴は、前記原水室に許容原水貯留容量の上限まで原水を貯留した状態で前記載置部を下にして前記浄水装置を載置した際に、原水室に形成される水面よりも上方に位置するように設けられていることを特徴とする。
【００１７】
請求項１０の発明にあっては、請求項１〜９のうちいずれか１項に記載の浄水装置において、前記浄水部は、前記浄水室に浄水を吐出する吐出口を有し、前記吐出口が、前記原水室の許容原水貯留容量の上限と同量の浄水を前記浄水室に貯留した状態で前記載置部を下にして前記浄水装置を載置した際に、浄水室に形成される水面よりも上方に位置するように配置されていることを特徴とする。
【００１８】
請求項１１の発明にあっては、請求項１〜１０のうちいずれか１項に記載の浄水装置において、前記浄水器本体は、前記浄水室が形成される外容器と、前記原水室が形成され、前記外容器に取り外し可能に取り付けられる内容器と、を備えていることを特徴とする。
【００１９】
請求項１２の発明にあっては、請求項１１に記載の浄水装置において、前記外容器および内容器には、互いに係合して外容器に対する内容器の相対回動を規制する係合部がそれぞれ設けられていることを特徴とする。
【００２０】
請求項１３の発明にあっては、請求項４に記載の浄水装置において、前記浄水器本体には、前記第１の封止部により外部との連通が封止されるとともに、当該第１の封止部による前記注水口と前記浄水室の封止が解除された状態で、前記浄水室と外部とを連通する第３の連通穴が形成されていることを特徴とする。
【００２１】
請求項１４の発明にあっては、請求項５に記載の浄水装置において、前記蓋には、前記給水口および注水口を塞いだ際に平面視で前記浄水器本体の輪郭内に収まるとともに、当該蓋を開方向に回動させた際に平面視で前記輪郭からはみ出す延出部が形成されていることを特徴とする。
【発明の効果】
【００２２】
請求項１の発明によれば、浄水器本体の底壁以外の部位に載置部を設け、当該載置部を下にした状態で浄水装置を載置できるようにしたため、冷蔵庫などへ収納する際の収納場所の選択性を広げることができる。すなわち、浄水装置の保管場所の自由度を向上させることができる。
【００２３】
請求項２の発明によれば、載置部の載置面を平面状にすることで、載置部を下にした状態で浄水装置を載置した際に、浄水装置ががたついてしまうのを抑制することができる。
【００２４】
請求項３の発明によれば、浄水装置が、原水を原水室に注入する給水口および浄水を外部に注出する注水口を塞ぐ蓋を有するため、載置部を下にした状態で浄水装置を載置した際に、浄水器本体内部の水が外部に洩れてしまうのを抑制することができる。
【００２５】
請求項４の発明によれば、蓋が給水口および注水口を塞いだ時に、第１の封止部により注水口と浄水室との連通が封止されるとともに、第２の封止部により内壁と蓋との間の隙間が封止されるようにしたため、載置部を下にした状態で浄水装置を載置した際に、浄水器本体内部の原水と浄水とが混合してしまうのを抑制することができる。また、浄水後に蓋をすれば、原水室と浄水室の圧力をほぼ同圧とすることができるため、浄水が原水室内に逆流してしまうのを抑制することができるようになる。
【００２６】
請求項５の発明によれば、蓋を浄水器本体に螺合させることで、蓋の浄水器本体からの抜け防止を図ることができる。また、蓋を開方向に回動させた際に、まず第１の封止部による封止が解除され、次に第２の封止部による封止が解除されるようにしたため、蓋を、第１の封止部による封止は解除されているが第２の封止部による封止は解除されていない状態にすれば、原水が浄水に混合するのを抑制しつつ、浄水を注水口から注出させることができる。すなわち、蓋を浄水器本体から外すことなく浄水を吐水させることが可能となる。
【００２７】
請求項６の発明によれば、浄水器本体の原水室と浄水室とを区画する内壁に、原水室と浄水室とを連通する第１の連通穴を設けることで、原水を原水室に注入した際に、原水室と浄水室とを第１の連通穴によってほぼ同圧とすることができるため、蓋で給水口および注水口を塞いだ状態のときに、浄水流量が低下してしまうのを極力抑制することができる。その結果、蓋で給水口および注水口を塞いだ状態で浄水を行うことが可能となるため、後から蓋をする必要がなくなり作業効率を向上させることができる。さらに、大気中のごみ（浮遊物）が浄水器本体内に進入してしまうのを極力避けることが可能となって浄水部の長寿命化を図ることが可能となる。
【００２８】
請求項７の発明によれば、第１の連通穴を、原水室に許容原水貯留容量の上限まで原水を貯留した状態で載置部を下にして浄水装置を載置した際に、原水室に形成される水面よりも上方に位置するように設けることで、浄水後に、載置部を下にした状態で浄水装置を載置した際に、原水室内の原水が第１の連通穴から浄水室内に流入してしまうのを抑制することができる。
【００２９】
請求項８の発明によれば、蓋に、原水室と外部とを連通する第２の連通穴を設けることで、外部から原水室内に空気を取り込むことができるため、原水を原水室に注入した際に、浄水流量が低下してしまうのを極力抑制することができる。すなわち、蓋で給水口および注水口を塞いだ状態のときに、浄水流量が低下してしまうのを極力抑制することが可能となり、蓋で給水口および注水口を塞いだ状態で浄水を行うことができるようになる。また、後から蓋をする必要がなくなり作業効率を向上させることができる。さらに、大気中のごみ（浮遊物）が浄水器本体内に進入してしまうのを極力避けることが可能となって浄水部の長寿命化を図ることが可能となる。
【００３０】
請求項９の発明によれば、第２の連通穴を、原水室に許容原水貯留容量の上限まで原水を貯留した状態で載置部を下にして浄水装置を載置した際に、原水室に形成される水面よりも上方に位置するように設けることで、浄水後に、載置部を下にした状態で浄水装置を載置した際に、原水室内の原水が第２の連通穴から外部に漏れ出てしまうのを抑制することができる。
【００３１】
請求項１０の発明によれば、浄化部の吐出口を、原水室の許容原水貯留容量の上限と同量の浄水を浄水室に貯留した状態で載置部を下にして浄水装置を載置した際に、浄水室に形成される水面よりも上方に位置するように配置したため、載置部を下にして浄水装置を載置した際に、原水と浄水とが浄化部を通じて混合されてしまうのを抑制することができる。
【００３２】
請求項１１の発明によれば、浄水器本体は、浄水室が形成される外容器と、原水室が形成され、外容器に取り外し可能に取り付けられる内容器と、を備えるため、浄水器本体をより容易に洗浄することができるようになる。
【００３３】
請求項１２の発明によれば、外容器および内容器に、互いに係合して外容器に対する内容器の相対回動を規制する係合部を設けることで、蓋を回動させて取り外す時に、内容器が蓋とともに回動してしまうのを抑制することができ、蓋の開け閉めを容易に行うことができる。
【００３４】
請求項１３の発明によれば、浄水器本体に、第１の封止部により外部との連通が封止されるとともに、当該第１の封止部による注水口と浄水室の封止が解除された状態で、浄水室と外部とを連通する第３の連通穴を形成したため、浄水注水時には、第３の連通穴によって外部より空気を吸引しやすくなり、安定した吐水状態を保つことが可能となる。
【００３５】
請求項１４の発明によれば、蓋に、給水口および注水口を塞いだ際に平面視で浄水器本体の輪郭内に収まるとともに、当該蓋を開方向に回動させた際に平面視で浄水器本体の輪郭からはみ出す延出部を設けることで、蓋で給水口および注水口を塞いでいない状態になっているときの位置関係を明確に把握することができ、蓋で給水口および注水口を塞いでいない状態で、載置部を下にして浄水装置を載置してしまうのを抑制することができる。
【図面の簡単な説明】
【００３６】
【図１】図１は、本発明の第１実施形態にかかる浄水装置を示す斜視図である。
【図２】図２は、本発明の第１実施形態にかかる浄水装置を載置部を下にして載置した状態を示す斜視図である。
【図３】図３は、本発明の第１実施形態にかかる浄水装置を底壁を下にして載置させた状態を示す断面図である。
【図４】図４は、本発明の第１実施形態にかかる浄水装置を載置部を下にして載置させた状態を示す断面図である。
【図５】図５は、本発明の第１実施形態にかかる浄水装置の蓋を示す側面図である。
【図６】図６は、本発明の第１実施形態にかかる浄水装置の注ぎ部、原水室、浄化室の封止状態を示す図であって、（ａ）は、蓋を閉じた状態を示す拡大断面図、（ｂ）は、蓋を半開させた状態を示す拡大断面図である。
【図７】図７は、本発明の第１実施形態にかかる蓋を半開させた浄水装置の上部を示す断面図である。
【図８】図８は、図７のＡ−Ａ断面図である。
【図９】図９は、本発明の第１実施形態にかかる蓋を閉じた浄水装置を示す平面図である。
【図１０】図１０は、本発明の第１実施形態にかかる蓋を半開させた浄水装置を示す平面図である。
【図１１】図１１は、本発明の第２実施形態にかかる浄水装置を底壁を下にして載置させた状態を示す断面図である。
【図１２】図１２は、本発明の第２実施形態にかかる浄水装置を載置部を下にして載置させた状態を示す断面図である。
【図１３】図１３は、本発明の第２実施形態にかかる蓋を閉じた浄水装置の注ぎ部を示す拡大断面図である。
【図１４】図１４は、本発明の第３実施形態にかかる浄水装置を底壁を下にして載置させた状態を示す断面図である。
【図１５】図１５は、本発明の第３実施形態にかかる浄水装置を載置部を下にして載置させた状態を示す断面図である。
【図１６】図１６は、本発明の第４実施形態にかかる蓋を閉じた浄水装置を示す平面図である。
【図１７】図１７は、本発明の第４実施形態にかかる蓋を半開させた浄水装置を示す平面図である。
【発明を実施するための形態】
【００３７】
以下、本発明の実施形態について図面を参照しながら詳細に説明する。以下では、浄水装置として浄水器を例示する。なお、以下の複数の実施形態には、同様の構成要素が含まれている。よって、以下では、それら同様の構成要素には共通の符号を付与するとともに、重複する説明を省略する。また、以下の実施形態においては、浄水器本体の注水部が突設された方向を浄水器の前方として説明する。
【００３８】
（第１実施形態）
本実施形態にかかる浄水器（浄水装置）１は、ポット型浄水器として構成されている。本実施形態では、この浄水器１は、図３に示すように、水道水等の原水を供給して一旦貯留させておく原水室Ｓ１と、原水を浄水カートリッジ（浄水部）９０にて浄化することで得られた浄水を貯留する浄水室Ｓ２と、が形成された浄水器本体１０を備えている。さらに、本実施形態では、浄水器１は、原水室Ｓ１と浄水室Ｓ２とを区画する内壁（本実施形態では、後述する内容器７０）の底部に装着される浄水カートリッジ９０と、原水を原水室Ｓ１に注入する給水口７２ａおよび浄水を外部に注出する注水口５３ａを塞ぐことが可能な蓋８０と、を備えている。
【００３９】
そして、浄水器１は、浄水器本体１０の底壁（本実施形態では、外容器２０の底壁２４）を下にした状態で載置可能に構成されている。このように浄水器本体１０の底壁を下にして浄水器１を載置した状態で、原水室Ｓ１内に原水を注入すると、当該原水室Ｓ１内に貯留される原水が自重により浄水カートリッジ９０を通過して浄水室Ｓ２内に流下し、浄水が浄水室Ｓ２内に貯留されることになる。すなわち、本実施形態にかかる浄水器１では、浄水カートリッジ９０内にて原水が浄化されるようになっている。
【００４０】
また、本実施形態では、浄水器１を注水口５３ａが下方となるように傾倒させることで（図３では浄水器１を時計回り方向に傾倒させることで）、浄水室Ｓ２内に貯留された浄水を、通路１３を経て注水口５３ａから排出させるようになっている。
【００４１】
この通路１３は、浄水室Ｓ２から上方に延設されるように形成され、浄水を注ぐ際の注ぎ路として機能している。
【００４２】
浄水器本体１０は、上端に開口５２ａが形成された有底筒型の外容器２０と、外容器２０の上方から開口５２ａに挿入されて外容器２０内に取り外し可能に取り付けられ、上端に原水を注入する給水口７２ａが形成されるとともに、底壁（本実施形態では、下部縮径部７３の奥壁７３ａ）に開口７３ｂが形成された略筒型の内容器７０と、を備えている。
【００４３】
外容器２０は、図１に示すように、前方に向けて膨出した曲面状の前側壁部２１と、略平坦面状の後側壁部２２と、左右の側壁部２３、２３とで、側壁が構成されており、当該側壁と、底壁２４と、天壁２５とで略箱状に形成されている。
【００４４】
さらに、本実施形態では、左右の両側壁部２３、２３には、当該両側壁部２３、２３を外容器２０の内側に向けて凹設させた凹部２３ａ、２３ａが形成されており、使用者が把持し易いようになっている。
【００４５】
また、外容器２０は、上端が開口した略有底筒状のロワーケース６０と、上述の開口５２ａが形成され、下端が開口したアッパーケース３０と、を備えており、ロワーケース６０とアッパーケース３０とを結合することで形成されている。
【００４６】
具体的には、ロワーケース６０の上端部外周にアッパーケース３０の下端部内周を超音波溶着等により接合することで、ロワーケース６０とアッパーケース３０とを液密構造をもって固定している。
【００４７】
アッパーケース３０は、図３に示すように、天壁５０と、ロワーケース６０の上端に結合される側壁４０と、を備えており、天壁５０には、蓋８０を取り付けるための取付部５１が上方に突設されている。
【００４８】
取付部５１は、天壁５０から上方に向けて略筒状に立設されており、当該取付部５１の内周面５１ａには、図示せぬ雌ねじ部が形成されている。
【００４９】
また、取付部５１の下部内周側には、図３に示すように、略水平に延設された内側リブ５２が形成されており、当該内側リブ５２の内周側には、内容器７０を挿入するための開口５２ａが形成されている。
【００５０】
また、図８に示すように、内側リブ５２の後部には、内容器７０を位置決めする突起部（係合部）５２ｂが形成されており、この突起部５２ｂには、空気孔（第３の連通孔）５２ｃが形成されている。
【００５１】
さらに、内側リブ５２の前部には、内容器７０を取り付けた状態で通路１３と注水口５３ａとが連通するように、切欠部５２ｄが形成されている。
【００５２】
また、天壁５０の前部には、前方に向かうにつれて幅狭となる先細り状の注水部５３が突設されており、この注水部５３の上方開口が注水口５３ａとなっている。
【００５３】
また、図１に示すように、天壁５０の後部には、表示部取付用の凹部５４が形成されており、この凹部５４に表示部としてのカレンダ目盛５４ｃが回動自在に設けられている。
【００５４】
本実施形態では、カレンダ目盛５４ｃは、図９および図１０に示すように、略円筒状をしており、このカレンダ目盛５４ｃ表面には１から１２までの数字（月を表している）が描かれている。
【００５５】
そして、天壁５０の後部表面には、浄水カートリッジ設置時期を示す矢印５４ａおよび浄水カートリッジ交換時期を示す矢印５４ｂが形成されている。
【００５６】
本実施形態では、浄水カートリッジの寿命が約４ヶ月のものを用いた場合を例示（図９および図１０参照）しており、１０月に新しい浄水カーリッジ９０を装着した場合には、目盛５４ｃを回動させて、図９に示すように、矢印５４ａがカレンダ目盛５４ｃの１０の表記を指し示すようにする。このようにカレンダ目盛５４ｃをセットすると、矢印５４ｂがカレンダ目盛５４ｃの２の表記を指し示すこととなり、このカレンダ目盛５４ｃを見ることで、今回装着した浄水カーリッジ９０の交換時期が翌年の２月であることを容易に確認できるようになっている。
【００５７】
内容器７０は、上端が開口した略筒状をしており、この内容器の内部が原水室となるとともに、上端開口が原水を給水する給水口７２ａとなっている。この内容器７０は、外容器２０の約半分程度の深さで形成してあり、外容器２０の上半部に対して通路１３を除く部分でほぼ隙間なく嵌合することで、内容器７０内に原水室Ｓ１を形成している。
【００５８】
本実施形態では、この内容器７０は、図３に示すように、周壁の上部に上側段部７１ａを形成するとともに、側壁部７１の下部に下側段部７１ｂを形成することで、側壁部７１、上部拡径部７２，下部縮径部７３が形成されている。
【００５９】
また、本実施形態では、この側壁部７１、上部拡径部７２，下部縮径部７３は、それぞれ、下方に向かうにつれて縮径するテーパ状に形成されている。
【００６０】
側壁部７１の外周には内側に向けて凹設した凹部（係合部）７１ｄが形成されており、この凹部７１ｄは、側壁部７１の軸方向（上下方向）に延在している。また、本実施形態では、この凹部７１ｄは、図８に示すように、互いに対向する位置に２箇所設けられている。そして、内容器７０を外容器２０に取り付けた際に、この凹部７１ｄに内側リブ５２の突起部５２ｂを係合させることで、突起部５２ｂ内容器７０の外容器２０に対する相対回動を規制している。
【００６１】
すなわち、内容器７０の凹部７１ｄと外容器２０の突起部５２ｂとが互いに係合して外容器２０に対する内容器７０の相対回動を規制する係合部に相当する。
【００６２】
また、図７に示すように、側壁部７１の上部外周にはリブ７１ｅが設けられており、このリブ７１ｅを内側リブ５２に上方から載置することで、内容器７０が外容器２０に取り付けられるようにしている。
【００６３】
上部拡径部７２の外周面７２ｂには、略水平方向に延在する突条７２ｃが２本突設されており、当該２本の突条７２ｃの間に形成された溝７２ｄ内にＯリング（第２の封止部）７２ｅが嵌め込まれている。
【００６４】
また、下部縮径部７３は、下方に向けて凹設された略円筒状をしており、この下部縮径部７３に、略円筒状の浄水カートリッジ９０が、上方から奥まで差し込まれて嵌着されるようになっている（図３参照）。また、下部縮径部７３の奥壁７３ａには、開口７３ｂが形成されている。
【００６５】
蓋８０は、本実施形態では、ねじ式の蓋であり、この蓋８０を取り外すと給水口７２ａが開口して、水道水などの原水を原水室Ｓ１内に注入できるようになっているとともに、外容器２０と内容器７０とで構成される通路１３と、注水口５３ａと、が開口する構成をしている。
【００６６】
この蓋８０は、図５に示すように、給水口７２ａを塞ぐ蓋本体部８１と、蓋本体８１に設けられ、蓋８０を把持するための取手８２と、注水口５３ａを塞ぐ鍔部８３と、を備えている。
【００６７】
蓋本体部８１には、下方に開口する略筒状の取付筒８５が突設されており、この取付筒８５の外周８６には、上述の取付部５１の内周面５１ａに形成された雌ねじ部と螺合する雄ねじ部８６ａが形成されている。
【００６８】
さらに本実施形態では、雄ねじ部８６ａの間に形成されたねじ溝８６ｂには、突起８６ｃおよび２本の突条８６ｄが形成されている（図５参照）。そして、蓋８０と浄水器本体１０の位置関係が図９に示す全閉位置や、図１０に示す半開位置となるときに、突起８６ｃを取付部５１の雌ねじ部に形成された２本の突条間に収めるとともに、取付部５１の雌ねじ部に形成された突起を２本の突条８６ｄ間に収めるように設計することで、蓋８０の全閉状態や半開状態において蓋８０が相対回動してしまうのを抑制できるようにしている。このとき、突起が突条を乗り越えるため、クリック感を生じさせることができ、蓋８０の全閉状態や半開状態を容易に確認することができるようになっている。
【００６９】
また、蓋本体部８１の取付筒８５の下端部には、図５に示すように、蓋８０の全閉状態で内側リブ５２に当接する封止部（第１の封止部）８４が全周に亘って設けられている。そして、図６（ａ）に示すように、蓋８０の全閉状態では、この封止部８４によって通路１３と注水口５３ａとの連通が封止されるようになっている。なお、この封止部８４は、蓋８０に設けられているため、蓋８０を浄水器本体１０に対して開方向（図９において時計回り方向）に回動させると、蓋８０とともに上昇して内側リブ５２との当接が解除されることとなる（図６（ｂ）参照）。すなわち、封止部８４は、通路１３と注水口５３ａとの連通を封止することができるとともに当該封止を解除することができるように構成されている。
【００７０】
また、本実施形態では、雄ねじ部８６ａを取付部５１の雌ねじ部に螺合させながら蓋８０を徐々に閉じていくと、上部拡径部７２の外周面と取付筒８５の内周面８７との間の隙間が、Ｏリング７２ｅによって封止されるようになっている。
【００７１】
具体的には、図７に示すように、取付筒８５の内径が上部拡径部７２の突条７２ｃ部分の外径と略等しくなるように、取付筒８５および上部拡径部７２を形成するとともに、取付筒８５の内周面８７に、内周面８７下部の内径が増加するように段差部８７ａを設けることで、蓋８０を徐々に閉じる際の初期段階では、内周面８７下部とＯリング７２ｅとの間に隙間が形成されるようにし、蓋８０を徐々に閉じていくと、段部取付筒８５の内周面８７とＯリング７２ｅとが当接し、上部拡径部７２の外周面と取付筒８５の内周面８７との間の隙間が封止されるようにしている。
【００７２】
このように、本実施形態では、浄水器１は、蓋８０が給水口７２ａおよび注水口５３ａを塞いだ時には、封止部８４により注水口５３ａと浄水室Ｓ２との連通が封止されるとともに、Ｏリング７２ｅにより内容器７０と蓋８０との間の隙間が封止されている状態となる（図６（ａ）参照）。
【００７３】
そして、蓋８０を開方向に回動させた際には、まず封止部８４による封止が解除され（図６（ｂ）参照）、次にＯリング７２ｅによる封止が解除されるようになっている。
【００７４】
なお、段差部８７ａが形成される位置（取付筒８５の内周面における上下方向の位置）を適宜変更することで、上部拡径部７２の外周面と取付筒８５の内周面８７との間の隙間の封止時期（蓋８０をどの程度閉めた状態で封止されるか）を変更することができる。
【００７５】
また、本実施形態では、鍔部８３が注水口５３ａを塞いだ際には、当該鍔部８３は、平面視で浄水器本体１０の輪郭内に収まるとともに、蓋８０を開方向に回動させた際に平面視で浄水器本体１０の輪郭からはみ出すようにしている（図９および図１０参照）。こうすれば、鍔部８３の状態を見るだけで、蓋８０が全閉状態か否かを容易に確認することができる。
【００７６】
浄水カートリッジ９０は、図３に示すように、内部に充填してある吸着剤（図示せず）の吸着作用によって原水を浄化する上流側の吸着室Ｓ４と、内部に充填してある濾過体（図示せず）の濾過作用によって吸着室Ｓ４を通過した水をさらに浄化する下流側の濾過室Ｓ３と、を備えている。さらに、本実施形態では、この浄水カートリッジ９０は、内部に充填してあるミネラル剤（図示せず）のミネラル成分を水に添加するミネラル添加室Ｓ５を備えている。
【００７７】
本実施形態では、濾過室Ｓ３および吸着室Ｓ４は、上下端が開口した略円筒状の濾過容器９２内に中空糸膜等の濾過体を充填し、上端が開口した略有底筒状の吸着容器９１の底壁９１ｂから下方に延設された奥壁９１ｃ内に濾過容器９２の下端部９２ａを嵌合させ、さらに、内側の濾過容器９２の周壁と外側の吸着容器９１の周壁との間に活性炭等の吸着剤を充填させることで形成されている。
【００７８】
なお、奥壁９１ｃの底壁中央には、奥壁９１ｃに嵌合される濾過容器９２の下端開口に対して上下に所定空間を介して対向する吐出口９１ｅが形成されている。
【００７９】
また、奥壁９１ｃの外周面にはＯリング９５が嵌め込まれており、このＯリング９５を介して奥壁７３ａと奥壁９１ｃとを密着させている。なお、濾過容器９２の下端部９２ａの外周面にはＯリング９６が嵌め込まれており、このＯリング９６を介して濾過容器９２の下端部９２ａと奥壁９１ｃとを密着させている。
【００８０】
また、濾過容器９２の周壁には、濾過室Ｓ３とこれを囲む外周側の吸着室Ｓ４とを連通させる連通孔９２ｂが複数設けられている。
【００８１】
ミネラル添加室Ｓ５は、上端が開口した有底筒状を成すとともにその外底壁中央に上方に凹んだ凹段部９３ａが設けられたミネラル容器９３の当該凹段部９３ａ内に濾過容器９２の上端部を嵌合係止させ、ミネラル容器９３内にカルシウム剤等である粒状のミネラル剤を充填させ、このミネラル容器９３の上方から、下端が開口したキャップ状の上カバー９４を被せ、上カバー９４のフランジ９４ｃを吸着容器９１のフランジ９１ｄと係合させることで形成される。そして、このフランジ９４ｃを下側段部７１ｂに形成された環状溝７１ｃに嵌め込むことで、浄水カートリッジ９０が下部縮径部７３の奥壁７３ａに装着される。
【００８２】
上カバー９４の周壁であってミネラル容器９３の側方に位置する部分には、小径の導水口９４ａを全周に亘って多数開口しており、これら導水口９４ａを通じて浄水カートリッジ９０内に原水が導入される構造をしている。
【００８３】
また、上カバー９４の頂部であって濾過容器９２の真上に位置する部分には、排気口９４ｂが上下方向に貫通形成されている。そして、ミネラル容器９３の上方に凹んだ凹段部９３ａの底壁中央部からは、上方に伸びる細長パイプ状の空気抜き路９３ｂが延設されており、空気抜き路９３ｂの上端開口を上カバー９４の排気口９４ｂに連通させている。
【００８４】
また、ミネラル容器９３の外周壁には、スリット状のミネラル溶出孔９３ｃが多数穿設されており、このミネラル溶出孔９３ｃは、ミネラル容器９３内の空間であるミネラル添加室Ｓ５と吸着室Ｓ４内とを連通させるものである。
【００８５】
なお、上カバー９４の頂部であって排気口９４ｂを囲む部分には、複数の排気口（図示せず）を排気口９４ｂとは別に穿設しており、この排気口（図示せず）を介して、ミネラル添加室Ｓ５内に生じた気泡を外部に排出させるようにしている。
【００８６】
ここで、本実施形態では、浄水器本体１０の底壁２４以外の部位に載置部を設け、当該載置部を下にした状態で浄水器１を載置できるようにしている（図２および図４参照）。
【００８７】
具体的には、浄水器本体１０の後側壁２２に平面状の載置面２２ａを設けることで、当該後側壁２２の載置面２２ａを下にした状態で浄水器１を載置できるようにしている。
【００８８】
すなわち、本実施形態では、後側壁２２が載置部に相当するものである。
【００８９】
さらに、本実施形態では、浄水器１は、図４に示すように、吐出口９１ｅが、原水室Ｓ１の許容原水貯留容量の上限（本実施形態では、図３に示す水面Ａｗ１まで注入した際の原水の容量）と同量の浄水を浄水室Ｓ２に貯留した状態で後側壁２２の載置面２２ａを下にして載置した際に、浄水室Ｓ２に形成される水面Ａｗ２よりも上方に配置されるように設計されている。
【００９０】
そして、空気孔５２ｃが、封止部８４により外部との連通が封止されるとともに、当該封止部８４による注水口５３ａと浄水室Ｓ２の封止が解除された状態で、浄水室Ｓ２と外部とを連通するようにしている。
【００９１】
具体的には、封止部８４が空気孔５２ｃよりも外周側で内側リブ５２に当接するように封止部８４を取付筒８５に設けることで、蓋８０の全閉状態では、空気孔５２ｃ封止部８４により外部との連通が封止されるようにしている。
【００９２】
そして、図７に示すように、蓋８０の半開状態（当該封止部８４による注水口５３ａと浄水室Ｓ２の封止が解除された状態）で、雄ねじ部８６ａと雌ねじ部との螺合部分に外部に連通する隙間が形成されるようにすることで、浄水室Ｓ２と外部とが空気孔５２ｃを介して連通するようにしている。
【００９３】
次に、かかる構成の浄水器１を用いて浄水を得る手順を説明する。
【００９４】
まず、蓋８０を開方向に回動させて、浄水器本体１０から取り外す。そして、給水口７２ａから水道水等の原水を原水室Ｓ１内に供給する。
【００９５】
供給された原水は原水室Ｓ１内に一旦貯留されるとともに、上カバー９４の多数の導水口９４ａを通じて浄水カートリッジ９０内に導入され、吸着室Ｓ４およびこれに連通する濾過室Ｓ３やミネラル添加室Ｓ５内に原水が充填される。
【００９６】
そして、浄水カートリッジ９０内に導入された原水は自重により浄水カートリッジ９０内を通って浄化され、浄水が吐出口９１ｅから浄水室Ｓ２内に流下する。このとき、本実施形態では、吸着作用及び濾過作用による浄水が行われるとともに、ミネラル添加室Ｓ５に流入した水にミネラル剤のミネラル成分が添加される。
【００９７】
その後、浄水カートリッジ９０による原水の浄化が終了して浄水室Ｓ２内に浄水が貯留されたら、給水口７２ａおよび注水口５３ａを蓋８０で栓をした状態（図９参照）で浄水器１を冷蔵庫等にて保管する。このとき、底壁を下にした状態で浄水器１を載置させてもよいし、後側壁２２ａを下にした状態で浄水器１を載置してもよい。
【００９８】
なお、給水口７２ａおよび注水口５３ａを蓋８０で栓をすると、浄水器本体１０の内部と外部とが封止され、原水室Ｓ１と浄水室Ｓ２との圧力バランスが同一となるため、後側壁２２ａを下にした状態で浄水器１を載置した際に、逆流が生じるのを抑制することができる。
【００９９】
そして、飲用等のために、浄水器１から浄水を取り出す際には、蓋８０を開方向に回動させて半開状態にする（図１０参照）。すると、封止部８４による通路１３と注水口５３ａとの封止が解除され、通路１３と注水口５３ａとが連通される。そして、かかる状態で浄水器１を注水口５３ａが下方となるように傾倒させると、浄水室Ｓ２内に貯留された浄水が通路１３を経て注水口５３ａから排出される。なお、蓋８０の半開状態では、図６（ｂ）に示すように、Ｏリング７２ｅによる上部拡径部７２の外周面と取付筒８５の内周面８７との間の隙間の封止は解除されていない状態であって、かつ、空気孔５２ｃによって浄水室Ｓ２と外気とが連通された状態となっている。そのため、原水室Ｓ１内の原水が浄水に混合してしまうのを抑制しつつ、空気孔５２ｃによって外部の空気を吸引させて、安定した吐水状態を保つことが可能となる。
【０１００】
なお、本実施形態では、空気孔５２ｃを注水口５３ａよりも後方に設けているため、浄水注水時に浄水が注水口５３ａに浸入して水膜が張られてしまうのを抑制することができ、より確実に安定した吐水状態を保つことが可能となる（図８参照）。
【０１０１】
以上の本実施形態によれば、浄水器本体１０の後側壁（底壁２４以外の部位）２２に載置部を設け、当該後側壁２２を下にした状態で浄水器（浄水装置）１を載置できるようにしたため、冷蔵庫などへ収納する際の収納場所の選択性を広げることができる。すなわち、浄水器の保管場所の自由度を向上させることができる。
【０１０２】
また、底壁２４以外の部位を下にして浄水器１を載置できるようにすることで、浄水器１の重心の位置を低くすることができるため、浄水器１の転倒を抑制することが可能となり、より安定して載置することができるようになる。
【０１０３】
また、載置部の面積を底壁２４の面積よりも大きくすれば、より一層安定して載置することができるようになる。
【０１０４】
また、本実施形態によれば、後側壁（載置部）２２の載置面２２ａを平面状にすることで、後側壁（載置部）２２を下にした状態で浄水器１を載置した際に、浄水器１ががたついてしまうのを抑制することができる。
【０１０５】
また、本実施形態によれば、浄水器１が、原水を原水室Ｓ１に注入する給水口７２ａおよび浄水を外部に注出する注水口５３ａを塞ぐ蓋８０を有するため、後側壁（載置部）２２を下にした状態で浄水器１を載置した際に、浄水器１内部の水が外部に洩れてしまうのを抑制することができる。
【０１０６】
また、蓋８０によって浄水器本体１０の内部と外部とが封止されるため、容器を大型化することなく、後側壁（載置部）２２を下にした状態で浄水器１を載置した際に、漏れを防止することのできる浄水の最大容量を増加させることができる（本実施形態では、浄水器本体１０の内部と外部とを封止しない場合には、浄水の最大容量は、図４に示す水面Ａｗ３のときの浄水容量であるが、封止することで水面Ａｗ２まで増加させることができる）。なお、原水と浄水との混合を考慮しなければ、水面Ａｗ２以上の浄水を貯留した状態で漏れを防止することができる。
【０１０７】
このように、蓋８０によって浄水器本体１０の内部と外部とを封止することで、漏れを防止できる浄水の最大貯留容量を確保しつつ容器の小型化を図ることができるため、冷蔵庫などへ収納する際の収納場所の選択性をより一層広げることができる。
【０１０８】
また、本実施形態によれば、蓋８０が給水口７２ａおよび注水口５３ａを塞いだ時に、封止部（第１の封止部）８４により注水口５３ａと浄水室Ｓ２との連通が封止されるとともに、Ｏリング（第２の封止部）７２ｅにより内容器（内壁）７０と蓋８０との間の隙間が封止されるようにしたため、後側壁（載置部）２２を下にした状態で浄水器１を載置した際に、浄水器１内部の原水と浄水とが混合してしまうのを抑制することができる。また、浄水後に蓋８０をすれば、原水室Ｓ１と浄水室Ｓ２の圧力をほぼ同圧とすることができるため、浄水が原水室Ｓ１内に逆流してしまうのを抑制することができるようになる。
【０１０９】
また、本実施形態によれば、蓋８０を浄水器本体１０に螺合させることで、蓋８０の浄水器本体１０からの抜け防止を図ることができる。また、蓋８０を開方向に回動させた際に、まず封止部（第１の封止部）８４による封止が解除され、次にＯリング（第２の封止部）７２ｅによる封止が解除されるようにしたため、蓋８０の状態を、封止部（第１の封止部）８４による封止は解除されているがＯリング（第２の封止部）７２ｅによる封止は解除されていない状態（本実施形態では、半開状態）にすれば、原水が浄水に混合するのを抑制しつつ、浄水を注水口５３ａから注出させることができる。すなわち、蓋８０を浄水器本体１０から外すことなく浄水を吐水させることが可能となる。
【０１１０】
また、蓋８０を浄水器本体１０に螺合させることで、蓋８０を開方向に回動させるだけで、封止部（第１の封止部）８４やＯリング（第２の封止部）７２ｅによる封止を解除することができるようになるため、構成の簡素化を図ることができるようになる。
【０１１１】
また、本実施形態によれば、浄水カートリッジ（浄化部）９０の吐出口９１ｅを、原水室Ｓ２の許容原水貯留容量の上限（図３に示す水面Ａｗ１まで注入した際の原水の容量）と同量の浄水を浄水室Ｓ２に貯留した状態で後側壁（載置部）２２を下にして浄水器１を載置した際に、浄水室Ｓ２に形成される水面Ａｗ２よりも上方に位置するように配置したため、後側壁（載置部）２２を下にして浄水器１を載置した際に、原水と浄水とが浄水カートリッジ（浄化部）９０を通じて混合されてしまうのを抑制することができる。
【０１１２】
また、吐出口９１ｅが縁切りされることで、長期保管の際に浄水が腐食した場合にあっても、腐食した浄水が浄水カートリッジ９０内に浸入してしまうのを抑制することができ、浄水カートリッジ９０の細菌繁殖による２次汚染を防止できるという利点もある。なお、奥壁７３ａを、後側壁（載置部）２２を下にして浄水器１を載置した状態においてより上方に位置するように偏芯させれば、浄水室Ｓ２内の許容浄水容量を増加（水面Ａｗ１の高さを高く）させることができる。
【０１１３】
また、本実施形態によれば、浄水器本体１０は、浄水室Ｓ２が形成される外容器２０と、原水室Ｓ１が形成され、外容器２０に取り外し可能に取り付けられる内容器７０と、を備えるため、浄水器本体１０をより容易に洗浄することができる。その結果、浄水器本体１０をより清潔に保つことができ、細菌繁殖による汚染をより一層抑制することが可能となる。
【０１１４】
また、本実施形態によれば、外容器２０および内容器７０に、互いに係合して外容器２０に対する内容器７０の相対回動を規制する係合部（凹部７１ｄと突起部５２ｂ）を設けることで、蓋８０を回動させて取り外す時に、内容器７０が蓋８０とともに回動してしまうのを抑制することができ、蓋８０の開け閉めを容易に行うことができる。
【０１１５】
特に、本実施形態では、取付筒８５の内周面８７とＯリング２７ｅとが摺接した状態で蓋８０を回動させる構造としているため、特に有効である。また、蓋８０を開口しようとした際に、蓋８０と内容器７０との同時回動を抑制することができるため、蓋８０を浄水器本体１０から取り外した際に内容器７０も同時に外容器２０から取り外されてしまうのを抑制することができる。その結果、内容器７０のセットし直しや、蓋８０から内容器７０が外れて落下し、内容器７０が破損してしまうのを抑制することができる。
【０１１６】
また、本実施形態によれば、浄水器本体１０に、封止部（第１の封止部）８４により外部との連通が封止されるとともに、当該封止部（第１の封止部）８４による注水口５３ａと浄水室Ｓ２の封止が解除された状態で、浄水室Ｓ２と外部とを連通する空気孔（第３の連通孔）５２ｃを形成したため、浄水注水時には、空気孔（第３の連通孔）５２ｃによって外部より空気を吸引しやすくなり、安定した吐水状態を保つことが可能となる。
【０１１７】
（第２実施形態）
本実施形態にかかる浄水器（浄水装置）１Ａも、上記第１実施形態の浄水器（浄水装置）１と同様に、浄水器本体１０の底壁２４以外の部位に載置部を設け、当該載置部を下にした状態で浄水器１Ａを載置できるようにしている。
【０１１８】
具体的には、図１１および図１２に示すように、浄水器本体１０の後側壁２２に平面状の載置面２２ａを設けることで、当該後側壁２２の載置面２２ａを下にした状態で浄水器１Ａを載置できるようにしている。
【０１１９】
ここで、本実施形態が上記第１実施形態と主に異なる点は、浄水器本体１０の原水室Ｓ１と浄水室Ｓ２とを区画する内壁（内容器７０）に、原水室Ｓ１と浄水室Ｓ２とを連通する連通穴（第１の連通穴）７２ｆを設けたことにある（図１３参照）。
【０１２０】
このように、連通穴（第１の連通穴）７２ｆを設けることで、蓋８０で給水口７２ａおよび注水口５３ａを塞いだ状態で原水を浄水した場合であっても、原水室Ｓ１内の圧力が浄化室Ｓ２内の圧力よりも低くなってしまうのが抑制され、浄水流量が低下してしまうのを抑制することができる。
【０１２１】
さらに、本実施形態では、連通穴（第１の連通穴）７２ｆは、原水室Ｓ１に許容原水貯留容量の上限（図１１に示す水面Ａｗ１まで注入した際の原水の容量）まで原水を貯留した状態で後側壁２２を下にして浄水器１Ａを載置した際に、原水室Ｓ１に形成される水面Ａｗ４よりも上方に位置するように設けられている。
【０１２２】
以上の本実施形態によっても、上記第１実施形態と同様の作用効果を奏することができる。
【０１２３】
また、本実施形態によれば、浄水器本体１０の原水室Ｓ１と浄水室Ｓ２とを区画する内容器（内壁）７０に、原水室Ｓ１と浄水室Ｓ２とを連通する連通穴（第１の連通穴）７２ｆを設けることで、原水を原水室Ｓ１に注入した際に、原水室Ｓ１と浄水室Ｓ２とを連通穴（第１の連通穴）７２ｆによってほぼ同圧とすることができるため、蓋８０で給水口７２ａおよび注水口５３ａを塞いだ状態のときに、浄水流量が低下してしまうのを極力抑制することができる。その結果、蓋８０で給水口７２ａおよび注水口５３ａを塞いだ状態で浄水を行うことが可能となるため、後から蓋８０をする必要がなくなり作業効率を向上させることができる。さらに、大気中のごみ（浮遊物）が浄水器１Ａ内に進入してしまうのを極力避けることが可能となって浄水カートリッジ（浄水部）９０の長寿命化を図ることが可能となる。
【０１２４】
また、本実施形態によれば、連通穴（第１の連通穴）７２ｆを、原水室Ｓ１に許容原水貯留容量の上限（図１１に示す水面Ａｗ１まで注入した際の原水の容量）まで原水を貯留した状態で後側壁（載置部）２２を下にして浄水器１Ａを載置した際に、原水室Ｓ１に形成される水面Ａｗ４よりも上方に位置するように設けることで、浄水後に、後側壁（載置部）２２を下にした状態で浄水器１Ａを載置した際に、原水室Ｓ１内の原水が連通穴（第１の連通穴）７２ｆから浄水室Ｓ２内に流入してしまうのを抑制することができる。
【０１２５】
（第３実施形態）
本実施形態にかかる浄水器（浄水装置）１Ｂも、上記第１実施形態の浄水器（浄水装置）１と同様に、浄水器本体１０の底壁２４以外の部位に載置部を設け、当該載置部を下にした状態で浄水器１Ｂを載置できるようにしている。
【０１２６】
具体的には、浄水器本体１０の後側壁２２に平面状の載置面２２ａを設けることで、当該後側壁２２の載置面２２ａを下にした状態で浄水器１Ｂを載置できるようにしている。
【０１２７】
ここで、本実施形態が上記第１実施形態と主に異なる点は、蓋８０に、原水室Ｓ１と外部とを連通する連通穴（第２の連通穴）８１ａを設けたことにある（図１４および図１５参照）。
【０１２８】
このように、連通穴（第２の連通穴）８１ａを設けることで、蓋８０で給水口７２ａおよび注水口５３ａを塞いだ状態で原水を浄水した場合であっても、原水室Ｓ１内の圧力が負圧になってしまうのが抑制され、浄水流量が低下してしまうのを抑制することができる。
【０１２９】
さらに、本実施形態では、連通穴（第２の連通穴）８１ａは、原水室Ｓ１に許容原水貯留容量の上限（図１４に示す水面Ａｗ１まで注入した際の原水の容量）まで原水を貯留した状態で後側壁（載置部）２２を下にして浄水器１Ｂを載置した際に、原水室Ｓ１に形成される水面Ａｗ４よりも上方に位置するように設けられている。
【０１３０】
また、本実施形態では、連通穴（第２の連通穴）８１ａを取手８２の下方に設けることで、連通穴（第２の連通穴）８１ａから原水室Ｓ１内に大気中のごみ（浮遊物）が進入してしまうのを極力避けるようにしている。
【０１３１】
以上の本実施形態によっても、上記第１実施形態と同様の作用効果を奏することができる。
【０１３２】
また、本実施形態によれば、蓋８０に、原水室Ｓ１と外部とを連通する連通穴（第２の連通穴）８１ａを設けることで、外部から原水室Ｓ１内に空気を取り込むことができるため、原水を原水室Ｓ１に注入した際に、浄水流量が低下してしまうのを極力抑制することができる。すなわち、蓋８０で給水口７２ａおよび注水口５３ａを塞いだ状態のときに、浄水流量が低下してしまうのを極力抑制することが可能となり、蓋８０で給水口７２ａおよび注水口５３ａを塞いだ状態で浄水を行うことができるようになる。また、後から蓋８０をする必要がなくなり作業効率を向上させることができる。さらに、大気中のごみ（浮遊物）が浄水器１Ｂ内に進入してしまうのを極力避けることが可能となって浄水カートリッジ（浄水部）９０の長寿命化を図ることが可能となる。
【０１３３】
また、本実施形態によれば、連通穴（第２の連通穴）８１ａを、原水室Ｓ１に許容原水貯留容量の上限（図１４に示す水面Ａｗ１まで注入した際の原水の容量）まで原水を貯留した状態で後側壁（載置部）２２を下にして浄水器１Ｂを載置した際に、原水室Ｓ１に形成される水面Ａｗ４よりも上方に位置するように設けることで、浄水後に、後側壁（載置部）２２を下にした状態で浄水器１Ｂを載置した際に、原水室Ｓ１内の原水が連通穴（第２の連通穴）８１ａから外部に漏れ出てしまうのを抑制することができる。
【０１３４】
（第４実施形態）
本実施形態にかかる浄水器（浄水装置）１Ｃも、上記第１実施形態の浄水器（浄水装置）１と同様に、浄水器本体１０の底壁２４以外の部位に載置部を設け、当該載置部を下にした状態で浄水器１Ｃを載置できるようにしている。
【０１３５】
具体的には、浄水器本体１０の後側壁２２に平面状の載置面２２ａを設けることで、当該後側壁２２の載置面２２ａを下にした状態で浄水器１Ｃを載置できるようにしている。
【０１３６】
ここで、本実施形態が上記第１実施形態と主に異なる点は、蓋８０に、給水口７２ａおよび注水口５３ａを塞いだ際に平面視で浄水器本体１０の輪郭内に収まるとともに、当該蓋８０を開方向に回動させた際（例えば、蓋８０が半開状態のとき）に平面視で浄水器本体１０の輪郭からはみ出す延出部８３ａを設けたことにある（図１６および図１７参照）。
【０１３７】
以上の本実施形態によっても、上記第１実施形態と同様の作用効果を奏することができる。
【０１３８】
また、本実施形態によれば、蓋８０に、給水口７２ａおよび注水口５３ａを塞いだ際に平面視で浄水器本体１０の輪郭内に収まるとともに、当該蓋８０を開方向に回動させた際に平面視で浄水器本体１０の輪郭からはみ出す延出部８３ａを設けることで、蓋８０で給水口７２ａおよび注水口５３ａを塞いでいない状態になっているときの位置関係を明確に把握することができ、蓋８０で給水口７２ａおよび注水口５３ａを塞いでいない状態で、後側壁（載置部）２２を下にして浄水器１Ｃを載置してしまうのを抑制することができる。
【０１３９】
すなわち、蓋８０の状態を見るだけで、蓋８０が全閉状態か否かを容易に確認することができる。
【０１４０】
なお、例えば蓋８０が半開状態のときに、延出部８３ａが後側壁（載置部）２２に突出するように蓋８０を設ければ、蓋８０が半開状態のとき（蓋８０が全閉状態でないとき）には、延出部８３ａに邪魔されて後側壁（載置部）２２を下にして浄水器１Ｃを載置できないようにすることも可能である。
【０１４１】
以上、本発明の好適な実施形態について説明したが、本発明は上記実施形態には限定されず、種々の変形が可能である。
【０１４２】
例えば、上記各実施形態では、載置部として後側壁を例示したが、これに限らず、左右の側壁等その他の部位を載置部とすることも可能である。また、載置部を複数箇所に設けるようにしてもよい。この場合、連通穴や空気穴の位置、浄水カートリッジ（浄水部）の吐出口の位置を適宜設定することで、浄水と原水との混合が生じないようにすればよい。
【０１４３】
また、上記各実施形態では、載置部として平面状のものを例示し、平面全体を冷蔵庫内の床面等に当接させる構造を例示したが、これに限らず、例えば、側面の４隅に脚部を設けて当該脚部を載置部とすることも可能である。この場合、４隅の脚部のみが冷蔵庫内の床面等に当接し、側面部分を当接させないようにすることができる。その結果、冷蔵庫内の床面等のごみが側面部分に付着してしまうのを抑制することができ、浄水器をより清潔に保つことができる。また、側面部分を冷蔵庫内の冷気にさらすことができるため、浄水の冷却効率を高めることができる。なお、このように４隅に脚部を設けた場合、側面部分を外側に膨出させた形状とするのが好ましい。こうすれば、側面部分が平面状のものと比べて浄水室の容量を大きくすることができる。
【０１４４】
また、浄水カートリッジ（浄水部）や浄水器本体、原水室、浄水室、その他細部のスペック（形状、大きさ、レイアウト等）も適宜に変更可能である。
【符号の説明】
【０１４５】
１、１Ａ、１Ｂ、１Ｃ  浄水器（浄水装置）
１０  浄水器本体
２０  外容器
２２  後側面（載置部）
２２ａ  載置面
２４  底壁
５２ｂ  突起部（係合部）
５２ｃ  空気孔（第３の連通孔）
５３ａ  注水口
７０  内容器（内壁）
７１ｄ  凹部（係合部）
７２ａ  給水口
７２ｅ  Ｏリング（第２の封止部）
７２ｆ  連通穴（第１の連通穴）
８０  蓋
８１ａ  連通穴（第２の連通穴）
８３ａ  延出部
８４  封止部（第１の封止部）
９０  浄水カートリッジ（浄水部）
９１ｅ  吐出口
Ｓ１  原水室
Ｓ２  浄化室
【図１】
2011083680.tif 000003
【図２】
2011083680.tif 000004
【図３】
2011083680.tif 000005
【図４】
2011083680.tif 000006
【図５】
2011083680.tif 000007
【図６】
2011083680.tif 000008
【図７】
2011083680.tif 000009
【図８】
2011083680.tif 000010
【図９】
2011083680.tif 000011
【図１０】
2011083680.tif 000012
【図１１】
2011083680.tif 000013
【図１２】
2011083680.tif 000014
【図１３】
2011083680.tif 000015
【図１４】
2011083680.tif 000016
【図１５】
2011083680.tif 000017
【図１６】
2011083680.tif 000018
【図１７】
2011083680.tif 000019